(57)【特許請求の範囲】
【請求項１】
板厚さが１０〜４０ミリメートルで、板形状が略平方四辺形又は略三角形で、踏板がその端部で蹴込み板よりも水平方向に突出した階段に使用する階段用側板であって、前記階段の端部において取付施工する階段用側板の踏板端部当接部に踏板突出部が嵌入する踏板嵌入部と、該踏板嵌入部の下方にくさび嵌入部とを有する切り欠き凹部を形成してなる階段用側板と、
前記踏板の裏面側において、前記階段用側板の切り欠き凹部のくさび嵌入部に対応したくさび挿入ガイド部を形成した前記踏板と、
前記くさび嵌入部と前記くさび挿入ガイド部とに渡って定着される、湿分膨張体からなる補強用くさびとを備え、
前記くさび挿入ガイド部は、平面形状が略長方形で、断面形状が扁平な略三角形に構成されたことを特徴とする階段。
【請求項２】
板厚さが１０〜４０ミリメートルで板形状が略平方四辺形又は略三角形で、踏板と蹴込み板の端部が水平方向に相互に突出しない面一階段の階段に使用する階段用側板であって、前記階段の端部において取付施工する階段用側板の踏板端部当接部に踏板突出部が嵌入する踏板嵌入部と、該踏板嵌入部の下方にくさび嵌入部とを有する切り欠き凹部を形成してなる階段用側板と、
前記踏板の裏面側において、前記階段用側板の切り欠き凹部のくさび嵌入部に対応したくさび挿入ガイド部を形成した前記踏板と、
前記くさび嵌入部と前記くさび挿入ガイド部とに渡って定着される、湿分膨張体からなる補強用くさびとを備え、
前記くさび挿入ガイド部は、平面形状が略長方形で、断面形状が扁平な略三角形に構成されたことを特徴とする階段。
【発明の詳細な説明】
【０００１】
【産業上の利用分野】
本発明は、施工性及び取付施工後の仕上り外観に優れた階段用側板を使用する階段に関する。
【０００２】
【従来の技術】
図１７に示すごとく、階段用側板９１は一般に幅木とも呼ばれ、階段９における踏板９２の踏板突出部に取付施工されている。
この階段用側板９１は、略平方四辺形であったり、また柱９４の全体を覆うごとく略略三角形のものがある。なお、階段用側板９１の上方には手すり９５が取付施工されている。
【０００３】
そして、図１５に示すごとく、柱９４に垂直方形された壁９６と踏板９の前方側端近傍９４及び形成との間に生じる隙間を隠蔽するに当り、下辺が踏板９の形状に適合する鋸歯状に踏板嵌入部された長尺板が提案されている。
この階段用側板９１は、現場での取付施工の際には、単に踏板９に嵌め込むだけで済むため、施工性に優れる長所がある。
【０００４】
しかしながら、上記従来の階段用側板９１は、図１６に示すごとく、一般に前方側端近傍の先端部にはステップ（滑り止め板）９２１や突起状の段鼻部が設けられている。
そのため、階段用側板９１の鋸歯下辺９０１との間には隙間９０を生じる。また、階段用側板９１の鋸歯側辺９０２と蹴込み板９３との間には前方側端近傍が前方に突出しているため、同様に隙間９０を生じる。
【０００５】
この状態では、階段用側板９１の仕上り外観が優れず、見栄えが悪い。また、隙間９０よりゴミやホコリの出入があって、環境衛生上好ましくない現象を生じる。
【０００６】
【発明が解決しようとする課題】
そこで、本発明は上記問題点に鑑みてなされたものであり、本発明が解決しようとする課題は、階段用側板９１の取付施工後の仕上り外観を向上させ、踏板９２の前方側端近傍と蹴込み板９３とを強固に階段用側板に取付施工することを目的とした仕上り外観に優れた、階段用側板を提供することにある。
【０００７】
【課題を解決するための手段】
【０００８】
上記課題を解決するため、本発明の採った手段は、下記に示す通りである。以下、実施例において、使用する図面の符号を用いて、図面を参照しながら具体的に説明する。
【０００９】
まず、請求項１記載の発明の採った手段は、板厚さが１０〜４０ミリメートルで、板形状が略平方四辺形又は略三角形で、踏板２１がその端部蹴込み板２２よりも水平方向に突出した階段２（以下、便宜上、これを踏板突出階段（図４参照）という）に使用する階段用側板１であって、前記階段２の端部２１０において取付施工する階段用側板１の踏板端部当接部に踏板突出部２１１が嵌入する踏板嵌入部１０１と、その下方にくさび嵌入部１０２とを有する切り欠き凹部１０を形成してなることを特徴としている。これにより前記踏板突出部２１１が切り欠き凹部１０内に嵌入され、階段用側板１は階段２に強固に取付施工される。
【００１０】
次に、請求項２記載の発明の採った手段は、板厚さが１０〜４０ミリメートルで板形状が略平方四辺形又は略三角形で、踏板２１と蹴込み板２２の端部が垂直方形で略同一の面一階段２（以下、便宜上これを「つらいち階段」ともいう（図５参照））の階段２に使用する階段用側板１であって、前記階段２の端部において取付施工する階段用側板１の踏板端部当接部に踏板突出部２１１が嵌入する踏板嵌入部１０１と、その下方にくさび嵌入部１０２とを有する切り欠き凹部１０を形成してなることを特徴としている。これにより、踏板２１と蹴込み板２２とが階段用側板１の切り欠き凹部１０内に嵌入して、階段２と階段用側板１との間に隙間を生じることなく（図１４参照）、また、従来の如く、くさび止めや釘打ちを必要とすることなく、階段２に階段用側板を取付施工するに際して、施工性及び仕上り外観に優れることになる。
【００１１】
そして、請求項１記載の発明が併せて採った手段は、踏板２１がその両端部又は片側部で水平方向に突出した階段用側板１（図４参照）であって、前記踏板２１の裏面側２０２において階段用側板１の踏板端部当接部に形成した切り欠き凹部に隣接する前方側端部２０３にくさび挿入ガイド部３０を形成してなり（図１１、図１２参照）、前記くさび挿入ガイド部２０は平面形状が略長方形で、断面形状が扁平な略三角形であって、蹴込み板からなる補強用くさび（図６、図７参照）が定着する切り欠き凹部３０を形成してなることを特徴としている。
これにより、前記切り欠き凹部１０が空気中の水分（湿分）を吸収することにより体積が膨張して、踏板２１と蹴込み板２２とを切り欠き凹部１０の前方側に押し出して、階段用側板１と階段２との密着性を向上させることにより、階段用側板１の階段２に対する取付施工の仕上り外観を良好にすることができる。
【００１２】
また、請求項２記載の発明が併せて採った手段は、踏板２１と蹴込み板２２の端部が垂直方形で略同一の面一階段２であって、前記踏板２１の裏面側２０２において階段用側板１の踏板端部当接部に形成した切り欠き凹部１０に隣接する前方側端部２０３のくさび挿入ガイド部２０を形成してなり、前記くさび挿入ガイド部２０は平面形状が略長方形で、断面形状が扁平な略三角形であって、湿分膨張体からなる補強用くさび４が定着する切り欠き凹部１０を形成してなることを特徴としている。
これにより、補強用くさび４が踏板２１の裏面側２０２において、円滑に前方側に押し出されると共に、その後、補強用くさび４の水平方向面より切り欠き凹部１０のくさび嵌入部１０２内に円滑に水平移動するように打設させて、補強用くさび４一端部をくさび嵌入部１０２内に嵌入することができる。
【００１３】
【発明の実施の形態】
本発明の階段用側板１は、板厚さが１０〜４０ミリメートルで、板形状が略平方四辺形又は略三角形で踏板２１がその端部２１０で水平方向に突出した階段２に使用するものである。階段用側板１は、木材、集成材、強化合板又は合成木材等或いは硬質プラスチック板（合成木材）等を使用する。
【００１４】
前記階段用側板１の板厚さは、１０〜４０ミリメートルであることが必要である。板厚さが１０ミリメートル未満であると、切り欠き凹部１０の深さを十分とることができず、踏板突出部２１１を強固に嵌入保持することができないからである。
【００１５】
一方、階段用側板１の板厚さが４０ミリメートルを超えることになると、階段用側板１全体の重量が大きくなり過ぎて、階段用側板１の取扱い施工性が優れないことになり、板厚さが４０ミリメートル未満で階段２を強固に支持する剛性を十分に得ることができるからである。
【００１６】
階段用側板１の板形状は、略平方四辺形（図１、図２参照）又は略三角形（図３参照）である。これにより、階段２と壁面との隙間を十分に隠蔽することができる。略平方四辺形及び略平方四辺形の傾斜線は階段２の傾斜角に相応することになるからである。
【００１７】
踏板２１は、その端部２１０において水平方向に突出した階段２に使用（図４参照）するものである。これにより、階段２と壁面の隙間をも十分に隠蔽することができる。
【００１８】
前記階段２の端部２１０においては、取付施工する階段用側板１の踏板端部当接部に踏板突出部２１１が踏板する踏板嵌入部１０１と、その下方にくさび嵌入部１０２とを有する切り欠き凹部１０が形成されてなる。なお、この切り欠き凹部１０は、各種形状を採用することができる（図８〜図１０参照）。
【００１９】
階段２の端部２１０には、踏板突出部２１０を有する（図４参照）。この踏板突出部２１０は、通常５〜２０ミリメートル位、水平方向に突出している。この部分が踏板突出部２１１である。また、踏板端部当接部とはこの踏板突出部２１１が階段用側板１の踏板嵌入部１０１に嵌入した時に、階段用側板１の踏板嵌入部１０１内の内壁面に当接（接触）する部分のことである。
【００２０】
前記踏板嵌入部１０１の下方には、くさび嵌入部１０２が形成されている（図８〜図１０参照）。これにより、踏板突出部２１１が嵌入した踏板嵌入部１０１には補強用くさび４の一端部がくさび嵌入部１０２に嵌入し、踏板突出部２１１を踏板嵌入部１０１の内壁の上方へ押しやることになる。そのため、階段用側板１と階段２の側面である踏板２１の端部２１０には隙間を生じることがない（図１４参照）。
【００２１】
そして、前記踏板嵌入部１０１とくさび嵌入部１０２とを有する切り欠き凹部１０が構成される。この切り欠き凹部１０のの深さは、踏板端部当接部１１の板厚さである１０〜４０ミリメートルの１０分の１〜１０分の５位であることが好ましい。すなわち、最低５ミリメートル、最大２０ミリメートルである。
【００２２】
なお、前述と同様に、切り欠き凹部１０の深さが、５ミリメートル未満であると、踏板突出部２１１の踏板嵌入部１０１の保持力（支持力）が不十分となる。一方、切り欠き凹部１０の深さが２０ミリメートルを超えると、階段用側板１の板厚さが４０ミリメートルを超えることにより、階段用側板１の重量が大きくなり過ぎて、その作業取扱い性が優れないことになる。
つまり、踏板突出部２１１の保持力と階段用側板１の剛性による支持力は、板厚さが１０〜４０ミリメートルで切り欠き凹部１０の深さが５〜２０ミリメートル位で実用上十分である。
【００２３】
そして前記踏板２は、その両端部又は片側部で水平方向に突出している。通常前述の如く、５〜２０ミリメートル位であるが、予め階段２における切り欠き凹部１０の深さと、略同一になるよう調整しておくことが好ましい。つまり、踏板突出部２１１は階段２の製造時おいて、使用する予定の階段用側板１の切り欠き凹部１０の深さと略同一に突出しておくことが必要である。なお、階段２の種類や配置間取の関係上両端部又は片側部に踏板突出部２１１を有している。
【００２４】
階段２の両側面が壁面である場合には踏板突出部２１１は両端部に、また片側面が壁面である場合には踏板突出部２１１は片側部であることが通常行われている現状である。
【００２５】
ここで注目すべきことは、踏板２１の裏面側２０２において階段用側板１の踏板端部当接部に形成した切り欠き凹部１０に隣接する前方側端部２０３にはくさび挿入ガイド部２０が形成されていることである。
【００２６】
ここで前方前方側端部２０３とは、踏板２１の前方（外側）寄りの端部２１０である踏板突出部２１１の近傍部分のことである。
そして、くさび挿入ガイド部２０は平面形状が略長方形で、断面形状が扁平な略三角形である（図６、図７参照）。これにより、補強用くさび４が打ち込み易くなり、打ち込み後の定着（おさまり）が良好となる（図１３参照）。
【００２７】
つまり、補強用くさび４を踏板２１の裏面側２０２において、円滑に打設する機能をくさび挿入ガイド部２０は有している。そして、その断面形状は略三角形又は扁平なＵ字形状を呈することが好ましい。
【００２８】
ここで、最も重要なことは、前記補強用くさび４は、湿分膨張体から構成されていることである。湿分膨張体とは、空気中の水分を吸収して、その体積が膨張する性質を有する材料からなるものである。これにより、空気中の湿度の上昇と共に、補強用くさび４の体積が膨張して、階段用側板１と階段２、踏板２１と蹴込み板２２との接合を強固にすることができる。そのため、従来の如く、くさび止めや釘打ちを必要とすることなく前記補強用くさびを階段用側板１に固定することができる。
【００２９】
前記湿分膨張体からなる補強用くさび４としては、例えば竹材、杉、檜等のごとき、短期間内に生長が早く、広葉樹に比して組織が多孔性に富む木材、硬質発泡プラスチック成形材のごとき合成木材に吸着や吸湿材の溶液を含浸したものを有利に使用することができる。
【００３０】
以下、本発明の好ましい実施例について、図面を参照して符号を付して具体的に説明する。なお、下記の実施例は本発明の一態様であるから、本発明の技術的範囲は何ら制限を受けるものではない。
【００３１】
（実施例１）
本例の階段用側板１は、図１に示すごとく、板形状が略平方四辺形の杉材により構成したものである。
そして、踏板２１の端部２１０である踏板端部当接部の一端部に切り欠き凹部１０が階段２のそれぞれの踏板２１に相当する部分に形成されている。
この階段２は、図４に示すごとく、踏板突出階段２０１に取付施工される。
【００３２】
階段２に階段用側板１を取付施工するに当っては、まず図１１に示すごとく、踏板２１の裏面側２０２において、図１３に示すごとく、踏板２１の前方側端部２０３に平面形状が略長方形の補強用くさび４を形成する。
【００３３】
補強用くさび４は、図１１に示すごとく、断面形状が扁平な略三角形の切り欠き凹部２０を有している。即ち、補強用くさび４が円滑に打ち込まれるよう一定の傾斜面を有する。そして、切り欠き凹部２０の大きさは、補強用くさび４と略同一である。
【００３４】
一方、階段２に多数形成した断面形状１０１とくさび嵌入部１０２とを有する切り欠き凹部２０は、図１０に示すごとく、先端部に丸味のある段鼻部３３と係止穴３４を有する。
【００３５】
そして、補強用くさび４は、図６に示すごとく、先端部３１が後端部より細くなった、断面形状が略三角形の湿分膨張体よりなる。湿分膨張体としては、竹串に吸着剤として、ベントナイト粉末、活性炭微粉末、活性白土微粉末や吸湿剤として塩化カルシウムの溶液を加圧含浸したものを使用する。なお、補強用くさび４は、図７に示すごとく、平面形状が略長方形よりなるものを使用する。
【００３６】
そして、補強用くさび４は踏板２１の裏面側２０２に形成した蹴込み板２０に位置する部分に載置し、まず矢印（ニ）の方向より木槌又は金槌で前方側へ打ち込む。
【００３７】
次に、所定の位置に補強用くさび４が打設された後に、矢印（ホ）方向に同様に打設する。これにより、補強用くさび４の側端部４１が切り欠き凹部１０のくさび嵌入部１０２内に嵌入する。
【００３８】
そして、図１４に示すごとく、階段用側板１の踏板嵌入部１０１には踏板突出部２１１が嵌入され、くさび嵌入部１０２には補強用くさび４の側端部４１が嵌入されることになる。
【００３９】
本例によれば階段用側板１を階段２に取付施工するに当り、補強用くさび４を用いて階段用側板１と踏板２１と蹴込み板２２とを強固に接合することができると共に、施工性に優れ、取付施工の仕上り外観に優れた階段用側板１及び階段２を得ることができる。
【００４０】
（実施例２）
本例は、実施例１における階段用側板１に代えて、図２に示すごとく、「つらいち階段」に使用する階段用側板１を用い、階段２としては前記「つらいち階段」（面一階段）を使用するものである。
図５に示すごとく、「つらいち階段」２は、踏板２１と蹴込み板２２とか垂直線（イ）−（ロ）方向において、略同一の表面をなするものである。
【００４１】
したがって、階段用側板１としては図２に示すごとく、切り欠き凹部１０が踏板嵌入部１１と蹴込み板嵌入部１２とよりなる切り欠き凹部１０を有する。その他の構成は、実施例１と同様にした。
【００４２】
（実施例３）
本例は、図１３に示すごとく、実施例１における階段用側板１に代えて、板形状が略三角形に階段２１の踏板突出部２１１を嵌入するための切り欠き凹部１０を階段２の各踏板２１の踏板端部当接部に相当する部分に踏板嵌入部１０１とくさび嵌入部１０２とよりなる切り欠き凹部１０を多数有する。その他の構成は、実施例１と同様にした。本例によれば、「つらいち階段」の踏板２１と蹴込み板２２との接合を仕上り外観が良く、取付施工することができる。
【００４３】
【発明の効果】
本発明は、前述の通り、請求項１〜請求項２により構成されているため、次に示すごとき、諸々の効果を発揮するものである。
【００４４】
請求項１記載の発明によれば、踏板突出部２１１が嵌入した踏板嵌入部１０１には、補強用くさび４のくさび嵌入部１０２が嵌入し、踏板突出部２１１を踏板嵌入部１０１の内壁に上方に押しやることになる。そのため、階段用側板１と階段２の側面である踏板２１の端部２１０には隙間を生じることがなく、取付施工後の仕上り外観に優れる。
【００４５】
請求項２記載の発明によれば、面一階段（つらいち階段）における踏板２１と蹴込み板２２とを階段２に嵌入した切り欠き凹部１０内に嵌入することができる。
【００４６】
併せて、請求項１記載の発明によれば、切り欠き凹部１０内で空気中の水分を吸収して、補強用くさび４の体積が膨張して、踏板２１と蹴込み板２２とを切り欠き凹部１０の前方側に押し出して、階段用側板１と階段２との密着性を向上させることにより、階段用側板１の階段２に対する取付施工の仕上り外観を良好にすることができる。
【００４７】
併せて、請求項２記載の発明によれば、蹴込み板４が踏板２１の裏面側において、円滑に前方側に押し出されると共に、その後に補強用くさび４の水平方向より切り欠き凹部１０のくさび嵌入部１０２内に円滑に水平移動するように打設して、補強用くさび４をくさび嵌入部１０２内に嵌入することができる。
【００４８】
以上にように、本発明によれば、階段用側板１を階段２の踏板２１、蹴込み板２２、補強用くさび４をそれぞれ嵌入するための蹴込み板２２を有するため、階段用側板１を階段２に密着させた状態で強固に取付施工することができるため、取付施工の仕上り外観に優れる。
【図面の簡単な説明】
【図１】本発明に係る階段用側板の板形状が略平方四辺形の正面図である。
【図２】本発明に係る階段用側板の他の態様の正面図である。
【図３】本発明に係る階段用側板の板形状が略三角形の正面図である。
【図４】踏板突出階段の斜視図としての要部説明図である。
【図５】面一階段の斜視図としての要部説明図である。
【図６】湿分膨張体からなる補強用くさびの側面図である。
【図７】湿分膨張体からなる補強用くさびの平面図である。
【図８】階段用側板に形成した切り欠き凹部の各種形状を示す側面図である。
【図９】階段用側板に形成した切り欠き凹部の各種形状を示す側面図である。
【図１０】階段用側板に形成した切り欠き凹部の各種形状を示す側面図である。
【図１１】踏板の裏面側に形成したくさび挿入ガイド部の切り欠き凹部を示す断面説明図である。
【図１２】踏板の裏面側に形成したくさび挿入ガイド部の切り欠き凹部を示す断面説明図である。
【図１３】本発明の階段の踏板の裏面側のくさび挿入ガイド部の平面説明図である。
【図１４】本発明の階段用側板における切り欠き凹部の断面説明図である。
【図１５】従来の階段用側板の階段に対する取付施工を示す斜視図である。
【図１６】従来の階段用側板の階段を取付施工した状態を示す断面説明図である。
【図１７】従来一般の階段における階段用側板取付施工の側面図である。
【符号の説明】
１    階段用側板
２    階段
２０  くさび挿入ガイド部
２１  踏板
２２  蹴込み板
４    補強用くさび
【図１】
0003700134.tif 000002
【図２】
0003700134.tif 000003
【図３】
0003700134.tif 000004
【図４】
0003700134.tif 000005
【図５】
0003700134.tif 000006
【図６】
0003700134.tif 000007
【図７】
0003700134.tif 000008
【図８】
0003700134.tif 000009
【図９】
0003700134.tif 000010
【図１０】
0003700134.tif 000011
【図１１】
0003700134.tif 000012
【図１２】
0003700134.tif 000013
【図１３】
0003700134.tif 000014
【図１４】
0003700134.tif 000015
【図１５】
0003700134.tif 000016
【図１６】
0003700134.tif 000017
【図１７】
0003700134.tif 000018